(57)【要約】【課題】高速道路等のセンター部分等に設けられている植栽を刈り取る作業において、場所移動時における作業員の車両への乗り降りや標識塔の移動を不要とすることができ、しかも少人数で効率よく刈り取り作業を行うことができる植栽の刈取方法および植栽刈取車両を提供する。【解決手段】高速道路等のセンター部分等に設けられている植栽を刈り取る植栽の刈取方法において、植栽刈取車両１にて植栽刈取車両１を走行させながら、植栽Ａの刈り取りを行い、次いで刈り取られた木片等を吸引する。好ましくは、植栽刈取車両１を走行させながら、吸引により吸引された木片等を袋詰めする。また、好ましくは、植栽刈取車両１に複数の標識塔６１を牽引させる。【選択図】      図１
2004305047.tif 000002
【特許請求の範囲】
【請求項１】
高速道路等のセンター部分等に設けられている植栽を刈り取る植栽の刈取方法において、車両にて該車両を走行させながら、前記植栽の刈り取りを行い、次いで刈り取られた木片等を吸引することを特徴とする植栽の刈取方法。
【請求項２】
前記車両を走行させながら、前記吸引により吸引された木片等を袋詰めする請求項１記載の植栽の刈取方法。
【請求項３】
前記車両に複数の標識塔を牽引させる請求項１または２記載の植栽の刈取方法。
【請求項４】
植栽を刈り取る自動刈取装置と、該自動刈取装置にて刈り取られた木片等を吸引する吸引装置とを搭載したことを特徴とする植栽刈取車両。
【請求項５】
作業員が地面上の雑草を刈り取るための作業台が設置され、前記吸引装置にて集められた木片等を袋詰めする袋詰装置を搭載し、該袋詰装置にて形成された袋を収納する収集車を牽引する請求項４記載の植栽刈取車両。
【請求項６】
後続車両に車線変更させる状態に複数連接された、標識塔を具備した可動台が前記収集車に装着されている請求項５記載の植栽刈取車両。
【発明の詳細な説明】
【０００１】
【発明の属する技術分野】
本発明は、高速道路等のセンター部分等に設けられている植栽を、少人数で効率よく刈り取ることができる道路植栽の刈取方法および植栽刈取車両に関する。
【０００２】
【従来の技術】
従来より、高速道路等に設けられている植栽においては、安全性を保つと共に、外観を整えるために定期的に刈り取り作業を行う必要がある。かかる作業を行うための自動刈り取り装置として、作業効率の向上及び作業者にかかる負担を軽減して作業の安全性の向上を図ったものが知られている。例えば、特許文献１では、地面に繁殖した雑草等を刈り取るカッタを有する刈り取り部と、該刈り取り部を装置本体に対して移動自在に支持する多関節アームと、前記刈り取り部によって刈り取られた雑草等を前記装置本体内に回収する回収装置と、前記多関節アームを操作して前記刈り取り部を移動させる操作機構と、該操作機構の操作によって移動した前記刈り取り部の移動軌跡データを記憶すると共に、該移動軌跡データに基づいて該刈り取り部を自動的に移動させて刈り取りを行う制御装置とを具えた自動刈り取り装置が提案されている。この自動刈り取り装置では、刈り取り作業および回収作業を自動化することから、作業効率を向上させ、また作業者にかかる負担を軽減して作業の安全性を図ることができるとされている。
【０００３】
【特許文献１】
特開平７−１２３８３６号公報（特許請求の範囲、第２−３頁、図１）
【０００４】
【発明が解決しようとする課題】
しかしながら、上記特許文献１記載の自動刈り取り装置においては、一連の刈り取り作業および回収作業は車両を停止した状態で行なわなければならず、作業場所を移動する際には作業員が車両へ乗り降りしたり、また、標識塔を移動させ再度配設することが必要となるなど、作業効率の面で問題が残った。
【０００５】
そこで本発明の目的は、上記問題点を解消し、高速道路等のセンター部分等に設けられている植栽を刈り取る作業において、場所移動時における作業員の車両への乗り降りや標識塔の移動を不要とすることができ、しかも少人数で効率よく刈り取り作業を行うことができる植栽の刈取方法および植栽刈取車両を提供することにある。
【０００６】
【課題を解決するための手段】
上記課題を解決するために、本発明の植栽の刈取方法は、高速道路等のセンター部分等に設けられている植栽を刈り取る植栽の刈取方法において、車両にて該車両を走行させながら、前記植栽の刈り取りを行い、次いで刈り取られた木片等を吸引することを特徴とするものである。
【０００７】
本発明の植栽の刈取方法においては、前記車両を走行させながら、前記吸引により吸引された木片等を好適に袋詰めすることができる。また、前記車両に複数の標識塔を牽引させた場合には、安全性が確保されると共に、場所移動の際の標識塔の移動を不要とすることができる。
【０００８】
本発明の方法により、一連の刈り取り作業中に、作業員の車両への乗り降りや、場所移動中における作業の停止がなくなり、作業効率を向上させることができる。
【０００９】
また、本発明の植栽刈取車両は、植栽を刈り取る自動刈取装置と、該自動刈取装置にて刈り取られた木片等を吸引する吸引装置とを搭載したことを特徴とするものである。
【００１０】
本発明の植栽刈取車両においては、作業員が地面上の雑草を刈り取るための作業台を設置することが好ましく、また前記吸引装置にて集められた木片等を袋詰めする袋詰装置を好適に搭載することができ、さらに該袋詰装置にて形成された袋を収納する収集車を好適に牽引させることができる。さらにまた、後続車両に車線変更させる状態に複数連接された、標識塔を具備した可動台を前記収集車に好適に装着することができる。
【００１１】
本発明の植栽刈取車両により、車両を走行させた状態で地面上、植栽の側面および上面を刈り取ることができ、さらに、刈り取られた木片等を自動的に吸引、回収、必要に応じ袋詰めすることが可能となり、植栽の刈り取り作業を少人数で効率よく行うことができる。また、標識塔を具備した可動台を設けた場合には、作業中における安全性が確保される。
【００１２】
【発明の実施の形態】
以下、本発明の植栽の刈取方法および植栽刈取車両の実施の形態について説明する。
【００１３】
図１に示す本発明の好適な植栽刈取車両１は、本体車両２の先端に、作業員ａが地面上の雑草を刈り取るための作業台３が設置されている。また、この本体車両２は、植栽Ａの上面および側面を刈り取る自動刈取装置１０と、自動刈取装置１０にて刈り取られた木片Ｂを吸引する吸引装置２０と、前記自動刈取装置１０と吸引装置２０とを稼動操作する操作部３０と、吸引装置２０にて集められた木片等を袋詰めする袋詰装置４０とを搭載している。さらに、本体車両２は、袋詰装置４０にて形成された袋を収納する収集車５０を牽引している。この収集車５０には、標識塔６１が固定された可動台６０が複数装着されている。
【００１４】
図示する本体車両２は、作業員５人が搭乗できる車両運転席４を有する大型車両であり、植栽刈取車両１を走行させた状態で植栽の刈り取り、吸引および袋詰の一連の作業を行うことができる。
【００１５】
本体車両２の先端部分に固定された作業台３は、植栽Ａが植えられている地面上の雑草を、作業員ａが電動カッター５を用いて刈り取る場合に利用されるものである。なお、前記作業台３には、安全性を確保するために手摺や保護枠等を具備させることが好ましい。
【００１６】
自動刈取装置１０は、車両運転席４の後方に設置されており、植栽Ａの上面を刈り取るチェーンソー１３を備えた第一刈取部１１と、植栽Ａの側面を刈り取るチェーンソー１４を備えた第二刈取部１２とで構成されている。そのため、短時間に広い面積の植栽Ａの刈り取り作業を行うことができる。
【００１７】
吸引装置２０は、第一刈取部１１にて刈り取られた植栽Ａの上面の木片Ｂを吸引するホース２１と、第二刈取部１２にて刈り取られた植栽Ａの側面の木片Ｂ、および地面上の雑草片等を吸引するホース２２とを備えており、それぞれのホースにて吸引された木片等は、一時的に本体２３内に収容される。
【００１８】
操作部３０は、前記自動刈取装置１０を稼動させて植栽Ａの刈り取り作業を行う刈取作業、および吸引装置２０の吸引作業をコントロールする所であり、各装置の操作は作業員ｂにより行われる。
【００１９】
前記吸引装置２０の本体２３内に収容された木片等は、ダクト２４を通って袋詰装置４０内に送られる。袋詰装置４０内には、合成樹脂製等の袋（図示せず）が具備されており、送られてきた木片等を自動的に収納して袋詰する。木片等を収納した袋４１は、作業員ｃにより車両後端に連結されている収集車５０に移し変えられる。
【００２０】
収集車５０は、木片等が入れられた袋４１を収納させるもので、下部にはローラ５２が装着され、連結具５１により本体車両２の後端に連結されている。なお、前記収集車５０にエンジンを搭載させた場合、満載された袋４１を自動的に他の場所へ移行させることもできる。
【００２１】
また、前記収集車５０には、道路工事等に使用される標識塔６１が固定された可動台６０が連結されている。かかる可動台６０は、図３に示すように、短尺のアーム６２にて収集車５０の側面に、また長尺のアーム６３にて収集車５０の後端に連結されている。また、長尺のアーム６３の側面にも、複数の可動台６０がアーム６２により連結されている。さらに、アーム６２の間には、補強用の連結軸６４が跨設されている。
【００２２】
前記可動台６０は、後方からの車両に車線変更させ、衝突事故を回避させるために、長尺状に湾曲された状態で複数連接されている。これにより作業中における安全性が確保される。さらには、前記可動台６０を連結するアーム６２は、図４に示すように、螺子６５を操作することにより、伸縮自在に形成されている。
【００２３】
図１に示す植栽刈取車両１を用いて本発明の植栽の刈取方法を具体的に実施する場合、車両運転席４に搭乗している運転手ｄが、本体車両２を歩行速度（約時速２〜４ｋｍ）程度の速度で走行させ、本体車両２の先端に設置された作業台３に乗っている作業員ａが、電動カッター５により地面上の雑草を刈り取る。なお、車両運転席４には、補助作業員ｅが搭乗することができる。
【００２４】
また同時に、作業員ｂが自動刈取装置１０を操作し、第一刈取部１１のチェーンソー１３により植栽Ａの上面を刈り取り、第二刈取部１２のチェーンソー１４により植栽Ａの側面を刈り取る。さらに、前記作業員ｂが吸引装置２０を操作し、刈り取られた植栽Ａの上面の木片Ｂをホース２１で、また、植栽Ａの側面の木片Ｂ、および地面上の雑草片をホース２２で吸引する（図２参照）。
【００２５】
それぞれのホースにて吸引された木片等は、一時的に吸引装置２０の本体２３内に収容され、収容された木片等は、ダクト２４を通って袋詰装置３０内に送られる。送られてきた木片等は袋詰装置３０内で自動的に袋詰され、木片等を収容させた袋４１は、作業員ｃにより車両後端に連結されている収集車５０に移し変えられる。
【００２６】
上記の一連の作業は、本体車両２が歩行速度でゆっくりと走行されている状態で行われるので、本体車両２を停止させることなく、効率よく刈り取り作業を行うことができる。また、本体車両２を一定の速度で走行させるために、オートクルージング装置を具備させてもよい。
【００２７】
また、この時、収集車５０に連結されている複数の可動台６０は、標識塔６１が固定された状態で本体車両２と共に移行されるので、後方から接近する車両の衝突事故を回避でき、作業中における安全性が確保される（図５参照）。
【００２８】
【発明の効果】
以上説明してきたように、本発明の植栽の刈取方法およびその植栽刈取車両は、車両を走行させた状態で刈り取り、吸引および袋詰の作業を行うことができるため、これら一連の作業中に、作業員の車両への乗り降りや、場所移動における作業の停止がなくなり、作業効率を向上させることができる。
【００２９】
また、複数の標識塔を牽引させた状態で刈り取り作業を行うことができるため、安全性が確保されると共に、場所移動の際の標識塔の設置や移動が不要となる。
【図面の簡単な説明】
【図１】本発明の一好適例の植栽刈取車両による作業状態を示す説明図である。
【図２】図１に示す作業状態を上方からみた説明図である。
【図３】本発明の一好適例の標識塔を搭載した可動台の平面図である。
【図４】図３に示す可動台の連結状態を示す斜視図である。
【図５】本発明の一好適例の植栽刈取車両による道路植栽の刈取方法を表す全体図である。
【符号の説明】
１  植栽刈取車両
２  本体車両
３  作業台
４  車両運転席
５  電動カッター
１０  自動刈取装置
１１  第一刈取部
１２  第二刈取部
１３  チェーンソー
１４  チェーンソー
２０  吸引装置
２１  ホース
２２  ホース
２３  本体
２４  ダクト
３０  操作部
４０  袋詰装置
４１  袋
５０  収集車
５１  連結具
５２  ローラ
６０  可動台
６１  標識塔
６２  アーム
６３  アーム
６４  連結軸
６５  螺子
Ａ  植栽
Ｂ  木片
ａ  作業員
ｂ  作業員
ｃ  作業員
ｄ  作業員
ｅ  作業員
【図１】
2004305047.tif 000003
【図２】
2004305047.tif 000004
【図３】
2004305047.tif 000005
【図４】
2004305047.tif 000006
【図５】
2004305047.tif 000007